(57)【要約】【課題】タイトル名の入力を簡単かつ確実に行なうことができるディスク記録装置を提供する。【解決手段】音声入力された所定のキーワードおよび当該キーワードに続く音声を認識する音声認識部８と、音声認識部８での認識結果に基づき、キーワードがあらかじめ定められたキーワードである場合に、当該キーワードに続く音声をタイトル名と判別するＣＰＵ１０とを備える。ＣＰＵ１０は、キーワードに続く音声が一定時間以上無音声状態を継続した場合に、タイトル名の音声入力が終了したと判定し、ＯＳＤ制御部６はＣＰＵ１０が判別したタイトル名の画像をエンコード部３に出力し、ディスク制御部４はエンコード部３でエンコードされたタイトル名をディスク２０に記録する。【選択図】    図１
2004343375.tif 000002
【特許請求の範囲】
【請求項１】
ディスクに映像を録画するとともに、前記ディスクにタイトル名を記録することが可能なディスク記録装置において、
ディスクに書き込む映像信号および音声信号をエンコードするエンコード部と、
前記エンコード部でエンコードされた映像信号および音声信号のディスクへの書き込みを制御するディスク制御部と、
前記ディスク制御部がディスクから読み取った情報をデコードするデコード部と、
前記デコード部でデコードされたＯＳＤ（Ｏｎ  Ｓｃｒｅｅｎ  Ｄｉｓｐｌａｙ）情報の表示制御を行うＯＳＤ制御部と、
音声入力された所定のキーワードおよび当該キーワードに続く音声を認識する音声認識部と、
前記音声認識部での認識結果に基づき、前記キーワードがあらかじめ定められたキーワードである場合に、当該キーワードに続く音声をタイトル名と判別するＣＰＵと、を備え、
前記ＣＰＵは、キーワードに続く音声が一定時間以上無音声状態を継続した場合に、タイトル名の音声入力が終了したとみなしてタイトル名を判別し、
前記ＯＳＤ制御部は、前記ＣＰＵが判別したタイトル名の画像を前記エンコード部へ出力し、
前記ディスク制御部は、前記エンコード部でエンコードされたタイトル名をディスクに記録することを特徴とするディスク記録装置。
【請求項２】
ディスクに情報を記録するとともに、前記ディスクにタイトル名を記録することが可能なディスク記録装置において、
音声入力された所定のキーワードおよび当該キーワードに続く音声を認識して、前記キーワードに続く音声をタイトル名と判別する判別手段を備え、
前記判別手段で判別されたタイトル名をディスクに記録することを特徴とするディスク記録装置。
【請求項３】
請求項２に記載のディスク記録装置において、
録画操作により録画待機状態となり、当該待機状態の間に前記キーワードおよびタイトル名の音声入力を受け付け、音声入力が終了すると録画を開始し、録画終了後に前記タイトル名をディスクに記録することを特徴とするディスク記録装置。
【請求項４】
請求項２に記載のディスク記録装置において、
録画操作により録画を開始し、録画が終了すると前記キーワードおよびタイトル名の音声入力を受け付け、音声入力終了後に前記タイトル名をディスクに記録することを特徴とするディスク記録装置。
【請求項５】
請求項２に記載のディスク記録装置において、
編集操作により前記キーワードおよびタイトル名の音声入力を受け付け、音声入力終了後に前記タイトル名をディスクに記録することを特徴とするディスク記録装置。
【請求項６】
請求項２に記載のディスク記録装置において、
録画操作により録画を開始し、録画中に前記キーワードおよびタイトル名の音声入力を受け付け、録画終了後に前記タイトル名をディスクに記録することを特徴とするディスク記録装置。
【請求項７】
請求項２ないし請求項６のいずれかに記載のディスク記録装置において、
前記判別手段は、キーワードに続く音声が一定時間以上無音声状態を継続した場合に、タイトル名の音声入力が終了したと判定することを特徴とするディスク記録装置。
【発明の詳細な説明】
【０００１】
【発明の属する技術分野】
本発明は、ディスクに情報を記録する機能を備えたＤＶＤ（Ｄｉｇｉｔａｌ  Ｖｅｒｓａｔｉｌｅ  Ｄｉｓｋ）レコーダのようなディスク記録装置に関するものである。
【０００２】
【従来の技術】
一般にＤＶＤレコーダには、ディスクに映像や音声を記録したり、ディスクに記録されている映像や音声を再生する機能のほかに、録画したタイトルにタイトル名をつけることができる機能が備わっている。このタイトル名は、リモコンのボタンを操作して文字で入力するようになっており、入力されたタイトル名が、各タイトルに対応してディスクに記録される。このようなタイトル名を付与することで、ディスクを再生したり編集を行う場合に、目的とするタイトルをモニタ上で容易に識別することができる。
【０００３】
タイトルの記録や探索に関連する先行技術としては、例えば下記の特許文献１〜３がある。特許文献１には、曲と曲の間の無音声区間を判別して、前もってキーボード等により入力されたタイトル信号を記録する技術が開示されている。また、特許文献２には、音声入力したキーワードに基づいて所望のシーンを検索する技術が開示されており、特許文献３には、メモリカードから再生した音声信号を磁気テープにアフターレコーディングすることで、メモリカードの音声情報を音声タイトルに使用できるようにした技術が開示されている。
【０００４】
【特許文献１】
特開平５−２７４８４７号公報
【特許文献２】
特開２０００−２３６４９４号公報
【特許文献３】
特開２００２−２７１７２６号公報
【０００５】
【発明が解決しようとする課題】
しかしながら、従来の装置では、リモコンのボタンを操作してタイトル名を文字で入力するようになっているため、入力作業に非常に手間がかかって使い勝手が悪く、また、ボタン操作を誤ってタイトル名が間違って入力されることもあった。このような課題に対しては、上記の特許文献１〜３にも有効な解決手段は示されていない。
【０００６】
本発明は、上記課題を解決するものであって、その目的とするところは、タイトル名の入力を簡単かつ確実に行なうことができるディスク記録装置を提供することにある。
【０００７】
【課題を解決するための手段】
本発明は、ディスクに情報を記録するとともに、ディスクにタイトル名を記録することが可能なディスク記録装置において、音声入力された所定のキーワードおよび当該キーワードに続く音声を認識して、キーワードに続く音声をタイトル名と判別する判別手段を設け、この判別手段で判別されたタイトル名をディスクに記録するようにしたものである。
【０００８】
本発明では、タイトル名を音声で入力することができるので、従来のようにリモコンを操作してタイトル名を文字で入力する場合に比べて、入力に要する時間や手間が大幅に短縮され、誤操作による入力の誤りも解消される。また、タイトル名の入力に先立って所定のキーワードを音声入力することで、このキーワードに続く音声部分がタイトル名であることを識別できるため、タイトル名の入力開始を知らせるためのキー操作が不要となり、タイトル名の入力をより簡単に行うことができる。
【０００９】
本発明においては、録画の操作がされた場合にまず録画待機状態とし、この待機状態の間にキーワードとタイトル名の音声入力を受け付け、音声入力が終了すると録画を開始し、録画終了後にタイトル名をディスクに記録するように構成することができる。これによると、録画が開始される前にタイトル名を音声で入力しておき、録画が終了すると入力したタイトル名を自動的にディスクに記録することができる。
【００１０】
しかし、本発明ではこれだけに限らず、例えば録画操作により録画を開始し、録画が終了した後でキーワードとタイトル名の音声入力を受け付け、音声入力終了後にタイトル名をディスクに記録するようにしてもよい。また、編集操作によりキーワードとタイトル名の音声入力を受け付け、音声入力終了後にタイトル名をディスクに記録して、タイトル名変更等の編集を行うようにしてもよい。あるいは、録画操作により録画を開始し、録画中にキーワードとタイトル名の音声入力を受け付け、録画終了後にタイトル名をディスクに記録するようにしてもよい。
【００１１】
本発明の好ましい実施形態においては、キーワードに続く音声が一定時間以上無音声状態を継続した場合に、タイトル名の音声入力が終了したと判定する。これによると、タイトル名の入力終了を知らせるためのキー操作も不要となり、操作をより一層簡略化することができる。
【００１２】
【発明の実施の形態】
図１は、本発明に係るディスク記録装置を示すブロック図である。ここでは、本発明に関係するブロックのみを図示してある。以下では、ディスク記録装置の一例としてＤＶＤレコーダを例に挙げて説明する。図１において、１は映像信号が入力される映像入力端子、２は音声信号が入力される音声入力端子で、これらの端子１，２はＤＶＤレコーダのライン入力端子を構成する。３は、映像入力端子１および音声入力端子２から入力される映像信号および音声信号を、ＤＶＤからなるディスク２０に書き込むためにエンコードするエンコード部である。４は、エンコード部３でエンコードされた映像信号および音声信号のディスク２０への書き込みを制御するディスク制御部である。５は、ディスク制御部４がディスク２０から読み取った情報をデコードするデコード部である。６は、デコード部５でデコードされたＯＳＤ（Ｏｎ  Ｓｃｒｅｅｎ  Ｄｉｓｐｌａｙ）情報の表示制御を行うＯＳＤ制御部である。ＯＳＤ情報は、モニタ画面に文字を画像として表示するための情報であって、ディスク２０に記録されている。７はＯＳＤ情報が出力される出力端子である。以上の構成は、従来のＤＶＤレコーダに備わっているものである。
【００１３】
８は音声認識部であって、音声入力端子２に接続されるマイクから音声入力されるキーワードと、このキーワードに続くタイトル名の音声とを認識する。９はメモリであって、上記のキーワードに相当する音声信号があらかじめ記憶されている。１０はＣＰＵであって、音声認識部８が認識したキーワードと、メモリ９に記憶されているキーワードとを照合して、両者が一致した場合に、キーワードに続いて音声入力された言葉をタイトル名と判別する。例えば、「タイトル  ミヤモトムサシ」という音声入力があった場合、「タイトル」がキーワード、それに続く「ミヤモトムサシ」がタイトル名となる。なお、キーワードは「タイトル」以外の言葉であってもよい。ＣＰＵ１０は、判別したタイトル名をＯＳＤ制御部６に与え、ＯＳＤ制御部６はこのタイトル名を画像データとしてエンコード部３へ出力する。エンコード部３では、タイトル名をエンコードしてディスク制御部４へ出力し、ディスク制御部４はタイトル名をディスク２０の所定領域に記録する。以上において、音声認識部８、メモリ９およびＣＰＵ１０は、本発明における判別手段を構成する。
【００１４】
図２は、第１実施形態によるタイトル名の記録動作を説明するタイムチャートである。第１実施形態では、ｔ１においてリモコン（図示省略）で録画操作が行われると、録画待機状態となって、キーワードとタイトル名の音声入力を受け付ける。ｔ２において音声入力がされると、キーワードとタイトル名が音声認識される。ｔ３において音声入力が途切れ、その後ｔ４まで一定時間以上無音声状態が継続した場合は、タイトル名の音声入力が終了したとみなして、ｔ４の時点から録画を開始する。そして、ｔ５において録画が終了すると、タイトル名をディスク２０に記録する。これによると、録画が開始される前にタイトル名を音声で入力しておき、録画が終了すると、入力したタイトル名を自動的にディスク２０に記録することができる。
【００１５】
図３は、上記第１実施形態の動作を詳細に示したフローチャートである。リモコンによる録画操作が行われると（ステップＳ１）、録画待機状態となり（ステップＳ２）、タイトル名が音声入力されたか否かを判定する（ステップＳ３）。一定時間内に音声入力がなければ（ステップＳ３：ＮＯ）、ステップＳ７へ移行して録画を開始する。音声入力があると（ステップＳ３：ＹＥＳ）、キーワードとそれに続くタイトル名とが音声認識される（ステップＳ４）。そして、音声入力が終了したか否かを判定して（ステップＳ５）、終了してなければ（ステップＳ５：ＮＯ）、ステップＳ４に戻る。ステップＳ５では、上述したように、キーワードに続く音声が一定時間以上無音声状態を継続した場合に音声入力終了と判定されるが、音声入力（タイトル名の入力）が終了したことをリモコンのキーで指定するようにしてもよい。
【００１６】
音声入力が終了すると（ステップＳ５：ＹＥＳ）、ＣＰＵ１０はメモリ９を参照して前記のようにキーワード照合を行い、キーワードが正常であればそれに続く言葉をタイトル名として取得し、この取得したタイトル名をメモリ９に一旦保存する（ステップＳ６）。そして、録画を開始し（ステップＳ７）、録画が終了すると（ステップＳ８）、メモリ９に保存されているタイトル名が、ＯＳＤ制御部６、エンコード部３を介してディスク制御部４に送られ、ディスク２０にタイトル名が記録される（ステップＳ９）。
【００１７】
以上のようにして、上記実施形態においては、タイトル名を音声で入力するので、リモコンを操作してタイトル名を文字入力する場合に比べて、入力の時間や手間が大幅に短縮され、誤操作による入力の誤りも回避できる。また、タイトル名の入力に先立って所定のキーワードを音声入力することで、このキーワードに続く音声部分がタイトル名であることを識別できるため、タイトル名の入力開始を知らせるためのキー操作が不要となり、タイトル名の入力をより簡単に行うことができる。さらに、タイトル名の無音声状態が一定時間以上継続したときに音声入力終了とみなすので、タイトル名の入力終了を知らせるためのキー操作も不要となり、操作がより一層簡単となる。
【００１８】
図４は、第２実施形態によるタイトル名の記録動作を説明するタイムチャートである。第２実施形態では、ｔ１においてリモコン（図示省略）で録画操作が行われると録画を開始し、ｔ２において録画が終了すると、キーワードとタイトル名の音声入力を受け付ける。ｔ３において音声入力がされると、キーワードとタイトル名が音声認識される。ｔ４において音声入力が途切れ、その後ｔ５まで一定時間以上無音声状態が継続した場合は、タイトル名の音声入力が終了したとみなして、タイトル名をディスク２０に記録する。
【００１９】
図５は、上記第２実施形態の動作を詳細に示したフローチャートである。リモコンによる録画操作が行われると（ステップＳ２１）、ただちに録画を開始して（ステップＳ２２）、ディスク２０への録画を行う。そして、録画が終了したか否かを判定し（ステップＳ２３）、録画が終了すると、タイトル名が音声入力されたか否かを判定する（ステップＳ２４）。一定時間内に音声入力がなければ（ステップＳ２４：ＮＯ）、処理を終了し、音声入力があると（ステップＳ２４：ＹＥＳ）、キーワードとそれに続くタイトル名とが音声認識される（ステップＳ２５）。そして、音声入力が終了したか否かを判定して（ステップＳ２６）、終了してなければ（ステップＳ２６：ＮＯ）、ステップＳ２５に戻る。ステップＳ２６においても、キーワードに続く音声が一定時間以上無音声状態を継続した場合に音声入力終了と判定されるが、音声入力（タイトル名の入力）が終了したことをリモコンのキーで指定するようにしてもよい。
【００２０】
音声入力が終了すると（ステップＳ２６：ＹＥＳ）、ＣＰＵ１０はメモリ９を参照して前記のようにキーワード照合を行い、キーワードが正常であればそれに続く言葉をタイトル名として取得し、この取得したタイトル名をＯＳＤ制御部６、エンコード部３を介してディスク制御部４に送り、ディスク２０にタイトル名を記録する（ステップＳ２７）。
【００２１】
図６は、第３実施形態によるタイトル名の記録動作を説明するタイムチャートである。第３実施形態では、ｔ１においてリモコン（図示省略）で編集操作が行われると、キーワードとタイトル名の音声入力を受け付ける。ｔ２において音声入力がされると、キーワードとタイトル名が音声認識される。ｔ３において音声入力が途切れ、その後ｔ４まで一定時間以上無音声状態が継続した場合は、タイトル名の音声入力が終了したとみなして、タイトル名をディスク２０に記録し、タイトル名変更等の編集を行う。
【００２２】
図７は、上記第３実施形態の動作を詳細に示したフローチャートである。リモコンによる編集操作が行われると（ステップＳ４１）、タイトル名が音声入力されたか否かを判定する（ステップＳ４２）。一定時間内に音声入力がなければ（ステップＳ４２：ＮＯ）、処理を終了し、音声入力があると（ステップＳ４２：ＹＥＳ）、キーワードとそれに続くタイトル名とが音声認識される（ステップＳ４３）。そして、音声入力が終了したか否かを判定して（ステップＳ４４）、終了してなければ（ステップＳ４４：ＮＯ）、ステップＳ４３に戻る。ステップＳ４４においても、キーワードに続く音声が一定時間以上無音声状態を継続した場合に音声入力終了と判定されるが、音声入力（タイトル名の入力）が終了したことをリモコンのキーで指定するようにしてもよい。
【００２３】
音声入力が終了すると（ステップＳ４４：ＹＥＳ）、ＣＰＵ１０はメモリ９を参照して前記のようにキーワード照合を行い、キーワードが正常であればそれに続く言葉をタイトル名として取得し、この取得したタイトル名をＯＳＤ制御部６、エンコード部３を介してディスク制御部４に送り、ディスク２０のタイトル名を編集する（ステップＳ４５）。
【００２４】
図８は、第４実施形態によるタイトル名の記録動作を説明するタイムチャートである。第４実施形態では、ｔ１においてリモコンで録画操作が行われると録画を開始し、その後キーワードとタイトル名の音声入力を受け付ける。ｔ２において音声入力がされると、キーワードとタイトル名が音声認識される。ｔ３において音声入力が途切れ、その後ｔ４まで一定時間以上無音声状態が継続した場合は、タイトル名の音声入力が終了したとみなす。そして、ｔ５において録画が終了すると、タイトル名をディスク２０に記録する。
【００２５】
図９は、上記第４実施形態の動作を詳細に示したフローチャートである。リモコンによる録画操作が行われると（ステップＳ６１）、ただちに録画を開始して（ステップＳ６２）、ディスク２０への録画を行う。そしてタイトル名が音声入力されたか否かを判定する（ステップＳ６３）。一定時間内に音声入力がなければ（ステップＳ６３：ＮＯ）、ステップＳ６７へ以降する。音声入力があると（ステップＳ６３：ＹＥＳ）、キーワードとそれに続くタイトル名とが音声認識される（ステップＳ６４）。そして、音声入力が終了したか否かを判定して（ステップＳ６５）、終了してなければ（ステップＳ６５：ＮＯ）、ステップＳ６４に戻る。ステップＳ６５においても、キーワードに続く音声が一定時間以上無音声状態を継続した場合に音声入力終了と判定されるが、音声入力（タイトル名の入力）が終了したことをリモコンのキーで指定するようにしてもよい。
【００２６】
音声入力が終了すると（ステップＳ６５：ＹＥＳ）、ＣＰＵ１０はメモリ９を参照して前記のようにキーワード照合を行い、キーワードが正常であればそれに続く言葉をタイトル名として取得し、この取得したタイトル名をメモリ９に一旦保存する（ステップＳ６６）。その後、録画が終了したか否かを判定し（ステップＳ６７）、録画が終了していなければ（ステップＳ６７：ＮＯ）、ステップＳ６３へ戻る。一方、録画が終了すれば（ステップＳ６７：ＹＥＳ）メモリ９にタイトル名が存在するか否かを判定し（ステップＳ６８）、タイトル名が存在しなければ（ステップＳ６８：ＮＯ）処理を終了し、タイトル名が存在すれば（ステップＳ６８：ＹＥＳ）、メモリ９のタイトル名をＯＳＤ制御部６、エンコード部３を介してディスク制御部４に送り、ディスク２０にタイトル名を記録する（ステップＳ６９）。
【００２７】
以上述べた実施形態においては、タイトル名としてタイトル毎に付与するものを例に挙げたが、タイトル名はディスク毎に付与するものであってもよく、あるいはそれらの両方であってもよい。
【００２８】
また、以上の実施形態においては、ディスク記録装置としてＤＶＤレコーダを例に挙げたが、本発明は、ハードディスクレコーダや、ＭＤ（Ｍｉｎｉ  Ｄｉｓｋ）レコーダなどのディスク記録装置にも適用することができる。
【００２９】
【発明の効果】
本発明によれば、タイトル名を音声で入力するので、従来のようにリモコンを操作してタイトル名を文字で入力する場合に比べて、入力に要する時間や手間が大幅に短縮され、誤操作による入力の誤りも解消される。また、タイトル名の入力に先立って所定のキーワードを音声入力することで、このキーワードに続く音声部分がタイトル名であることを識別できるため、タイトル名の入力開始を知らせるためのキー操作が不要となり、タイトル名の入力をより簡単に行うことができる。
【図面の簡単な説明】
【図１】本発明に係るディスク記録装置を示すブロック図である。
【図２】第１実施形態によるタイトル名の記録動作を説明するタイムチャートである。
【図３】第１実施形態の動作を詳細に示したフローチャートである。
【図４】第２実施形態によるタイトル名の記録動作を説明するタイムチャートである。
【図５】第２実施形態の動作を詳細に示したフローチャートである。
【図６】第３実施形態によるタイトル名の記録動作を説明するタイムチャートである。
【図７】第３実施形態の動作を詳細に示したフローチャートである。
【図８】第４実施形態によるタイトル名の記録動作を説明するタイムチャートである。
【図９】第４実施形態の動作を詳細に示したフローチャートである。
【符号の説明】
１    映像入力端子
２    音声入力端子
３    エンコード部
４    ディスク制御部
５    デコード部
６    ＯＳＤ制御部
７    出力端子
８    音声認識部
９    メモリ
１０  ＣＰＵ
２０  ディスク
【図１】
2004343375.tif 000003
【図２】
2004343375.tif 000004
【図３】
2004343375.tif 000005
【図４】
2004343375.tif 000006
【図５】
2004343375.tif 000007
【図６】
2004343375.tif 000008
【図７】
2004343375.tif 000009
【図８】
2004343375.tif 000010
【図９】
2004343375.tif 000011